(57)【要約】【課題】動画像が記録されたファイルのうち、所定の指定操作よりも所定時間以前から指定操作までの動画像を記録されているファイルであるか否かを容易に判断できるようにする。【解決手段】使用者による所定の指定操作に基づいて前記撮像手段により撮像している動画像を指定操作以降から記録する第１の記録処理手段と、指定操作よりも所定時間、以前から指定操作までの撮像手段により撮像している動画像を記録する第２の記録処理手段と、第１の記録処理手段により記録された動画像と第２の記録処理手段により記録された動画像とを１つの動画像ファイルとして作成するファイル作成手段と、ファイル作成手段により作成された動画像ファイルごとに、第１の記録処理手段により記憶された動画像に関する画像と、第２の記録手段により記録された動画像に関する画像とをずらして重ねて表示する表示制御手段とを有する。【選択図】図５
2010141823.tif 000002
【特許請求の範囲】
【請求項１】
被写体映像を撮像する撮像手段と、
使用者による所定の指定操作に基づいて前記撮像手段により撮像している動画像を指定操作以降から記録する第１の記録処理手段と、
前記指定操作よりも所定時間以前から前記指定操作までの前記撮像手段により撮像している動画像を記録する第２の記録処理手段と、
前記第１の記録処理手段により記録された動画像と前記第２の記録処理手段により記録された動画像とを１つの動画像ファイルとして作成するファイル作成手段と、
前記ファイル作成手段により作成された動画像ファイルごとに、前記第１の記録処理手段により記憶された動画像に関する画像と、前記第２の記録手段により記録された動画像に関する画像とをずらして重ねて表示する表示制御手段とを有することを特徴とする撮像記録再生装置。
【請求項２】
前記第１の記録処理手段により記録された動画像から第１のサムネイル画像を生成する第１の画像生成手段と、
前記第２の記録処理手段により記録された動画像から第２のサムネイル画像を生成する第２の画像生成手段とを更に有し、
前記表示制御手段は、前記第１の画像生成手段により生成された第１のサムネイル画像と、前記第２の画像生成手段により生成された第２のサムネイル画像とをずらして重ねて表示することを特徴とする請求項１に記載の撮像記録再生装置。
【請求項３】
前記第１の画像生成手段は、前記第１の記録処理手段により記録された動画像の先頭フレームを静止画像として取り出して第１のサムネイル画像を生成し、
前記第２の画像生成手段は、前記第２の記録処理手段により記録された動画像の先頭フレームを静止画像として取り出して第２のサムネイル画像を生成することを特徴とする請求項２に記載の撮像記録再生装置。
【請求項４】
前記表示制御手段は、前記第１のサムネイル画像と前記第２のサムネイル画像とを左右及び上下の少なくとも何れかにずらして重ねて表示することを特徴とする請求項２又は３に記載の撮像記録再生装置。
【請求項５】
前記表示制御手段は、所定時間ごとに前後のサムネイル画像を切り替えて表示することを特徴とする請求項２乃至４の何れか１項に記載の撮像記録再生装置。
【請求項６】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されたサムネイル画像を前面に表示し、前記選択検出手段により選択が検出されていないサムネイル画像を、前記前面に表示したサムネイル画像の背面に、ずらして重ねて表示することを特徴とする請求項２乃至４の何れか１項に記載の撮像記録再生装置。
【請求項７】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されていないサムネイル画像を点滅して表示することを特徴とする請求項２乃至４の何れか１項に記載の撮像記録再生装置。
【請求項８】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されているサムネイル画像の画像枠の形状と、検出されていないサムネイル画像の画像枠の形状とを異なる形状で表示することを特徴とする請求項２乃至４の何れか１項に記載の撮像記録再生装置。
【請求項９】
前記表示制御手段により表示された前記第１のサムネイル画像と前記第２のサムネイル画像とのうち使用者により選択されたサムネイル画像を検出する選択検出手段を更に有し、
前記表示制御手段は、前記選択検出手段により選択が検出されたサムネイル画像と前記選択検出手段により選択が検出されていないサムネイル画像とに対して、それぞれ異なる画像処理を施して表示することを特徴とする請求項２乃至４の何れか１項に記載の撮像記録再生装置。
【請求項１０】
前記画像処理とは、白黒表示又は異なる解像度でサムネイル画像を表示することを特徴とする請求項９に記載の撮像記録再生装置。
【請求項１１】
被写体映像を撮像する撮像ステップと、
使用者による所定の指定操作に基づいて前記撮像ステップにより撮像している動画像を指定操作以降から記録する第１の記録処理ステップと、
前記指定操作よりも所定時間以前から前記指定操作までの前記撮像ステップにより撮像している動画像を記録する第２の記録処理ステップと、
前記第１の記録処理ステップにより記録された動画像と前記第２の記録処理手段により記録された動画像とを１つの動画像ファイルとして作成するファイル作成ステップと、
前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップとを有することを特徴とする撮像記録再生装置の制御方法。
【請求項１２】
被写体映像を撮像する撮像ステップと、
使用者による所定の指定操作に基づいて前記撮像ステップにより撮像している動画像を指定操作以降から記録する第１の記録処理ステップと、
前記指定操作よりも所定時間以前から前記指定操作までの前記撮像ステップにより撮像している動画像を記録する第２の記録処理ステップと、
前記第１の記録処理ステップにより記録された動画像と前記第２の記録処理手段により記録された動画像とを１つの動画像ファイルとして作成するファイル作成ステップと、
前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップとをコンピュータに実行させるためのプログラム。
【発明の詳細な説明】
【技術分野】
【０００１】
本発明は、使用者による指定操作よりも所定時間以前から指定操作までの動画像を記録できる撮像記録再生装置、その制御方法及びプログラムに関するものである。
【背景技術】
【０００２】
従来、動画像を記録することができるビデオカメラ等の撮像記録再生装置は、記録された動画像から、サムネイル用の静止画を生成して、ファイルごとにサムネイル画像として一覧表示をしていた。例えば、特許文献１では、使用者による所定の指定操作に基づき指定操作以降の動画像を記録する。その後、記録された動画像を所定の時間間隔で分割し、時間間隔ごとのフレームを静止画として取り出し、複数のサムネイル画像を生成して表示する。そして、動画像ファイルごとに表示されたサムネイル画像を使用者が選択して決定すると、選択された画像に相当する動画像の再生を開始する。
【０００３】
【特許文献１】特開２００６-２７９２６７号公報
【発明の開示】
【発明が解決しようとする課題】
【０００４】
しかしながら、上述した特許文献１に開示された技術では、使用者による所定の指定操作に基づき指定操作以降の動画像を記録媒体に記録し、先頭フレームを静止画像として取り出してサムネイル画像を生成して表示部に表示していた。更に、指定操作以降の動画像の先頭フレームから一定間隔ごとのフレームを静止画像として取り出して、表示部に複数のサムネイル画像として一覧表示していた。
【０００５】
一方、使用者による所定の指定操作に基づき指定操作以降の動画像を記録媒体に記録すると共に、所定の指定操作以前の動画像を保存して記録媒体に記録することが可能な撮像記録再生装置が知られている。しかし、このような撮像記録再生装置であっても、使用者による所定の指定操作以降に記録された動画像の先頭フレームを静止画像として取り出してサムネイルを生成して表示部にファイルごとに一覧表示していた。
【０００６】
このような場合において、使用者は、一覧表示を見ただけでは所定の指定操作以前の動画像も記録媒体に記録されているファイルであるか否かを判別することが困難であった。また、一覧表示には所定の指定操作以降に記録された動画像からのサムネイル画像を表示しているだけなので、使用者は、指定操作以前に記録された動画像を確認することが不可能であった。
【０００７】
本発明は上述したような問題点に鑑みてなされたものであり、動画像が記録されたファイルのうち、所定の指定操作よりも所定時間以前から指定操作までの動画像を記録されているファイルであるか否かを容易に判断できるようにする。
【課題を解決するための手段】
【０００８】
本発明の撮像記録再生装置は、被写体映像を撮像する撮像手段と、使用者による所定の指定操作に基づいて前記撮像手段により撮像している動画像を指定操作以降から記録する第１の記録処理手段と、前記指定操作よりも所定時間以前から前記指定操作までの前記撮像手段により撮像している動画像を記録する第２の記録処理手段と、前記第１の記録処理手段により記録された動画像と前記第２の記録処理手段により記録された動画像とを１つの動画像ファイルとして作成するファイル作成手段と、前記ファイル作成手段により作成された動画像ファイルごとに、前記第１の記録処理手段により記憶された動画像に関する画像と、前記第２の記録手段により記録された動画像に関する画像とをずらして重ねて表示する表示制御手段とを有することを特徴とする。
本発明の撮像記録再生装置の制御方法は、被写体映像を撮像する撮像ステップと、使用者による所定の指定操作に基づいて前記撮像ステップにより撮像している動画像を指定操作以降から記録する第１の記録処理ステップと、前記指定操作よりも所定時間以前から前記指定操作までの前記撮像ステップにより撮像している動画像を記録する第２の記録処理ステップと、前記第１の記録処理ステップにより記録された動画像と前記第２の記録処理手段により記録された動画像とを１つの動画像ファイルとして作成するファイル作成ステップと、前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップとを有することを特徴とする。
本発明のプログラムは、被写体映像を撮像する撮像ステップと、使用者による所定の指定操作に基づいて前記撮像ステップにより撮像している動画像を指定操作以降から記録する第１の記録処理ステップと、前記指定操作よりも所定時間以前から前記指定操作までの前記撮像ステップにより撮像している動画像を記録する第２の記録処理ステップと、前記第１の記録処理ステップにより記録された動画像と前記第２の記録処理手段により記録された動画像とを１つの動画像ファイルとして作成するファイル作成ステップと、前記ファイル作成ステップにより作成された動画像ファイルごとに、前記第１の記録処理ステップにより記憶された動画像に関する画像と、前記第２の記録ステップにより記録された動画像に関する画像とをずらして重ねて表示する表示制御ステップとをコンピュータに実行させるためのプログラムである。
【発明の効果】
【０００９】
本発明によれば、使用者は、動画像が記録されたファイルのうち、所定の指定操作よりも所定時間以前から指定操作までの動画像を記録されているファイルを容易に判断することができる。
また、例えば、使用者は、所定の指定操作よりも所定時間以前から指定操作までに記録された動画像と所定の指定操作から記録された動画像との画像を容易に確認することができる。
【発明を実施するための最良の形態】
【００１０】
以下に、本発明に係る実施形態について、添付の図面に基づいて説明する。
（第１の実施形態）
図１は、本実施形態に係る撮像記録再生装置のブロック図である。撮像記録再生装置１は、例えば、動画像を記録したり、記録した動画像を再生したりすることができるビデオカメラ等である。
【００１１】
撮像記録再生装置１は、動作モードとして記録モードと再生モードとを設定することができる。記録モードとは、被写体映像を撮影し使用者による所定の指定操作により、撮像された動画像を記録媒体に記録するためのモードである。また、再生モードとは、記録された動画像を再生するためのモードである。
更に、撮像記録再生装置１は、記録モードとして、通常記録モードと事前記録モードとを設定することができる。通常記録モードとは、使用者による所定の指定操作に基づいて撮像している動画像を指定操作以降から記録するモードである。ここで、指定操作以降からの動画像の記録をトリガー記録という。一方、事前記録モードとは、通常記録モードに加えて、使用者による所定の指定操作よりも所定時間以前から指定操作までの動画像をも記録するモードである。ここで、指定操作よりも所定時間以前から指定操作までの動画像の記録を事前記録という。この通常記録モードと事前記録モードとは、使用者による特定の設定操作により設定される。
【００１２】
図１に示すように、撮像記録再生装置１は、マイクロプロセッサ１０、プログラム用メモリ１１、画像保存用メモリ１２を含んで構成されている。マイクロプロセッサ１０は、撮像記録再生装置１全体の動作を制御する。プログラム用メモリ１１は、マイクロプロセッサ１０と接続されていて、後述するフローチャートを実行するためのプログラム及び撮影記録再生動作を実行するためのプログラム等が格納されている。画像保存用メモリ１２は、マイクロプロセッサ１０と接続されていて、上述した事前記録モードが設定されている場合、使用者による所定の指定操作よりも所定時間以前から撮像された動画像を保存することが可能である。
【００１３】
また、撮像記録再生装置１は、撮像レンズ２０、映像センサー３０、画像処理・制御回路４０、データ圧縮・伸長回路５０、記録媒体６１、表示装置８０を含んで構成されている。
映像センサー３０は、撮像レンズ２０からの光学像を電気信号に変換する。画像処理・制御回路４０は、映像センサー３０から出力される電気信号を画像データに変換処理したり、その制御を行ったりする。データ圧縮・伸長回路５０は、画像処理・制御回路４０で処理された画像データを順次、圧縮したり、伸長したりする。記録媒体６１は、データ圧縮・伸長回路５０で処理された画像データをマイクロプロセッサ１０経由で記録するための記録媒体である。表示装置８０は、撮像レンズ２０によって撮像された画像、マイクロプロセッサ１０がプログラムを実行した状態に応じた動作状態及びメッセージ等を文字及び画像を用いて表示するためのディスプレイである。なお、表示装置８０は、撮像記録再生装置１に備えている場合に限らず、撮像記録再生装置１に備えられた図示しない外部出力端子を経由して接続された外部表示装置であってもよい。
【００１４】
また、撮像記録再生装置１は、記録媒体制御部６０、サムネイル画像生成部７０、サムネイル画像表示処理部７１、ＫＥＹ処理部９４を含んで構成されている。記録媒体制御部６０は、記録媒体６１に画像データを記録又は再生するための制御を行う。サムネイル画像生成部７０は、データ圧縮・伸長回路５０で処理された画像データからサムネイル画像のサムネイルデータを生成する。サムネイル画像生成部７０が生成したサムネイルデータは、マイクロプロセッサ１０経由で、画像保存用メモリ１２に記憶される。サムネイル画像表示処理部７１は、画像保存用メモリ１２に記憶されたサムネイルデータからサムネイル画像を表示装置８０に一覧表示するためのデータを作成する。ＫＥＹ処理部９４は、後述する動作モード切替スイッチ９０、トリガースイッチ９１、事前記録設定スイッチ９２のスイッチによる設定や上下左右方向指示部９３による入力を判断して処理する。
【００１５】
撮像記録再生装置１は、動作モード切替スイッチ９０、トリガースイッチ９１、事前記録設定スイッチ９２、上下左右方向指示部９３を含んで構成されている。動作モード切替スイッチ９０は、使用者が、撮像記録再生装置１の動作モードを記録モード又は再生モードに選択するためのスイッチである。
トリガースイッチ９１は、使用者がトリガー記録を開始するためのスイッチである。使用者がトリガースイッチ９１を押下すると、撮像記録再生装置１は、撮像されている動画像を記録媒体６１に記録する処理を開始する。ここで、使用者がトリガースイッチ９１を押下する行為が、使用者による所定の指定操作の一例に対応する。
また、トリガースイッチ９１は、使用者が、記録を停止するためのスイッチである。したがって、動画像の記録が行われている間、使用者がトリガースイッチ９１を押下することにより、撮像記録再生装置１は、撮像されている動画像を記録媒体６１に記録する処理を停止する。
【００１６】
事前記録設定スイッチ９２は、使用者が、撮像記録再生装置１の記録モードを通常記録モード又は事前記録モードに選択するためのスイッチである。例えば、使用者が事前記録モードを選択する。この場合、撮像記録再生装置１は、使用者がトリガースイッチ９１を押下するよりも所定時間以前に撮像された動画像とトリガースイッチ９１を押下された後に撮像された動画像との２つを１つの動画像ファイルとして記録媒体６１に記録する。なお、動作モード切替スイッチ９０、トリガースイッチ９１、事前記録設定スイッチ９２は、スイッチではなく、使用者のキー入力による操作により選択できるように構成されていてもよい。
【００１７】
上下左右方向指示部９３は、撮像記録再生装置１が再生モードに設定されている場合、使用者が表示装置８０に一覧表示されたサムネイル画像を選択したり、決定したりするための指示を入力するための操作キーである。
【００１８】
次に、撮像記録再生装置１の記録モードに通常記録モードが設定された場合の動作処理について、説明する。なお、撮像記録再生装置１が動画像を記録する期間の範囲と、撮像された動画像からサムネイル画像として静止画を取り出す位置について、適宜、図２を参照して説明する。
まず、使用者は、動作モード切替スイッチ９０を用いて、動作モードを記録モードに選択し、事前記録設定スイッチ９２を用いて、記録モードを通常記録モードに選択する。ＫＥＹ処理部９４では、これらの選択を検出して、記録モードを通常記録モードに設定する。
【００１９】
通常記録モードに設定されている状態で、使用者が、トリガースイッチ９１を押下すると、記録媒体制御部６０は、データ圧縮・伸長回路５０で処理された動画像データを記録媒体６１に記録する。すなわち、ＫＥＹ処理部９４は、トリガースイッチ９１の押下を検出すると、記録媒体制御部６０はトリガー記録を開始する。
使用者が、再度トリガースイッチ９１を押下すると、記録媒体制御部６０は、トリガー記録を停止する。
すなわち、通常記録モードに設定されている場合、図２に示すように、トリガースイッチが押下されてから、再度トリガースイッチが押下されるまでの範囲Ｔ１がトリガー記録される期間の範囲である。
【００２０】
続いて、記録媒体制御部６０及びマイクロプロセッサ１０は、トリガー記録した動画像を、１つの動画像ファイルとして認識されるようにプログラム用メモリ１１内にファイル管理データを作成する。
更に、サムネイル画像生成部７０は、記録媒体６１にトリガー記録された動画像の所定のフレームを静止画像として取り出し、サムネイル画像を生成し、トリガー記録用のサムネイル画像として画像保存用メモリ１２に記憶する。ここで、サムネイル画像生成部７０は、静止画像として取り出すフレームは、図２に示すように、トリガー記録された動画像の最初のフレームＡである。このとき、マイクロプロセッサ１０は、このサムネイル画像を１つのトリガー記録された動画像のサムネイル画像として認識されるようにプログラム用メモリ１１内にファイル管理データを記憶する。
【００２１】
次に、撮像記録再生装置１の動作モードに再生モードが設定された場合の動作処理について、説明する。
まず、使用者は、動作モード切替スイッチ９０を用いて、動作モードを再生モードに選択する。ＫＥＹ処理部９４では、この選択を検出して、再生モードに設定する。再生モードに設定すると、サムネイル画像表示処理部７１は、画像保存用メモリ１２に記憶されたトリガー記録用のサムネイル画像を表示装置８０に表示する。ここで、図３に表示装置８０に表示されたサムネイル画像の一覧を示す。図３には、トリガー記録された動画像の最初のフレームＡのサムネイル画像３１と、他に画像保存用メモリ１２に記憶されたサムネイル画像とが一覧で表示されている。
【００２２】
次に、撮像記録再生装置１の記録モードに事前記録モードが設定された場合の動作処理について、図４に示すフローチャートを参照して、説明する。図４に示すフローチャートは、マイクロプロセッサ１０がプログラム用メモリ１１に格納されたプログラムを実行することにより実現する。なお、撮像記録再生装置１が動画像を記録する期間の範囲と、撮像された動画像からサムネイル画像として静止画を取り出す位置について、適宜、図２を参照して説明する。
まず、ステップＳ１０において、使用者は、動作モード切替スイッチ９０を用いて、動作モードを記録モードに選択し、事前記録設定スイッチ９２を用いて、記録モードを事前記録モードに選択する。ＫＥＹ処理部９４は、これらの選択を検出して、記録モードを事前記録モードに設定する。
【００２３】
ステップＳ１１において、事前記録モードに設定されると、マイクロプロセッサ１０は、データ圧縮・伸長回路５０で処理された動画像（動画像データ）を画像保存用メモリ１２に保存を開始する。この処理は、第２の記録処理手段の一例に対応する。ここで、マイクロプロセッサ１０は、トリガースイッチ９１が押下されてトリガー記録を開始する以前の所定時間、動画像を画像保存用メモリ１２に保存する。ここでは、所定時間として、例えば１０秒間である。
すなわち、事前記録モードが設定されている場合、図２に示すように、トリガースイッチが押下される以前からトリガースイッチが押下されるまでの範囲Ｔ２が画像保存用メモリ１２に記録される期間の範囲である。なお、この時間は、使用者が任意に設定できるように構成してもよい。
【００２４】
ステップＳ１２において、ＫＥＹ処理部９４は、使用者によりトリガースイッチ９１が押下されたか否かを検出する。トリガースイッチ９１の押下を検出した場合、ステップＳ１３に処理を進める。なお、トリガースイッチ９１の押下を検出しない場合、ＫＥＹ処理部９４は、使用者によりトリガースイッチ９１が押下されるまで待機する。
ここで、事前記録モードが設定されてからトリガースイッチ９１が押下されるまでの時間が長いと、動画像データを保存する所定時間を超えてしまう。この場合、マイクロプロセッサ１０は、画像保存用メモリ１２に保存された時間的に古い動画像データから随時、破棄する制御をし、時間管理データを更新する。なお、マイクロプロセッサ１０は、画像保存用メモリ１２に保存された時間的に古い動画像データから随時、破棄する場合に限られない。例えば、マイクロプロセッサ１０は、動画像データが保存された部分に上書きする制御をし、時間管理データを更新するようにしてもよい。
【００２５】
ステップＳ１３において、記録媒体制御部６０は、データ圧縮・伸長回路５０で処理された動画像を記録媒体６１に記録する。すなわち、ＫＥＹ処理部９４は、トリガースイッチ９１の押下を検出すると、記録媒体制御部６０はトリガー記録を開始する。この処理は、第１の記録処理手段の一例に対応する。
すなわち、図２に示すように、トリガースイッチが押下されてから、動画像を記録媒体６１に記録するトリガー記録を開始する。
【００２６】
同時に、ステップＳ１４において、サムネイル画像生成部７０は、画像保存用メモリ１２に保存されている動画像の先頭フレームである図２に示すフレームＢの画像を静止画像として取り出して、事前記録用のサムネイル画像を生成する。その処理は、第２の画像生成手段の一例に対応する。また、事前記録用のサムネイル画像は第２のサムネイル画像に対応する。サムネイル画像生成部７０は、生成した事前記録用のサムネイル画像を画像保存用メモリ１２に記憶する。
続いて、マイクロプロセッサ１０は、画像保存用メモリ１２に保存されている動画像を記録媒体６１に移動する。このマイクロプロセッサ１０による移動制御は、画像保存用メモリ１２に保存されている動画像が全て記録媒体６１に移動することで終了する。
【００２７】
ステップＳ１５において、ＫＥＹ処理部９４は、使用者により再度トリガースイッチ９１が押下されたか否かを検出する。トリガースイッチ９１の押下を検出した場合、ステップＳ１６に処理を進める。なお、トリガースイッチ９１の押下を検出しない場合、ＫＥＹ処理部９４は、使用者によりトリガースイッチ９１が押下されるまで待機する。
ステップＳ１６において、記録媒体制御部６０は、トリガー記録を停止する。
【００２８】
ステップＳ１７において、記録媒体制御部６０及びマイクロプロセッサ１０は、トリガー記録した動画像と事前記録した動画像とを、連続記録した１つの動画像ファイルとして認識されるようにプログラム用メモリ１１内のファイル管理データを作成する。この処理は、ファイル作成手段の一例に対応する。
ステップＳ１８において、サムネイル画像生成部７０は、記録媒体６１にトリガー記録された動画像の先頭フレームである図２に示すフレームＡの画像を静止画像として取り出して、トリガー記録用のサムネイル画像を生成する。この処理は、第１の画像生成手段の一例に対応する。また、トリガー記録用のサムネイル画像は第１のサムネイル画像に対応する。サムネイル画像生成部７０は、生成したトリガー記録用のサムネイル画像を画像保存用メモリ１２に記憶する。このとき、記録媒体制御部６０及びマイクロプロセッサ１０は、トリガー記録用のサムネイル画像と事前記録用のサムネイル画像とを連続記録した１つの動画像ファイルから取り出したサムネイル画像として認識されるように処理を行う。具体的には、記録媒体制御部６０及びマイクロプロセッサ１０は、プログラム用メモリ１１内のファイル管理データを更新する。
【００２９】
次に、撮像記録再生装置１の動作モードに再生モードが設定された場合の動作処理について、図５に示すフローチャートを参照して、説明する。図５に示すフローチャートは、マイクロプロセッサ１０がプログラム用メモリ１１に格納されたプログラムを実行することにより実現する。
まず、ステップＳ２０において、使用者は、動作モード切替スイッチ９０を用いて、動作モードを再生モードに選択する。ＫＥＹ処理部９４は、この選択を検出して、再生モードに設定する。
ステップＳ２１において、再生モードに設定すると、サムネイル画像表示処理部７１は、画像保存用メモリ１２に記憶された事前記録用のサムネイル画像とトリガー記録用のサムネイル画像とを少しずらして重ねて表示装置８０に表示する。この処理は、表示制御手段の一例に対応する。
【００３０】
ここで、図６に表示装置８０に表示されたサムネイル画像の一覧を示す。図６には、トリガー記録された動画像の最初のフレームＡのサムネイル画像４１と、事前記録された動画像の最初のフレームＢのサムネイル画像４２とが表示される。また、図６には、他に画像保存用メモリ１２に記憶されたサムネイル画像が一覧で表示されている。
ここで、サムネイル画像表示処理部７１は、サムネイル画像４２が前面に表示し、サムネイル画像４１が背面に表示している。また、サムネイル画像表示処理部７１は、サムネイル画像４１とサムネイル画像４２とを、上下及び左右にずらして重ねて表示されている。なお、サムネイル画像４１とサムネイル画像４２とは、上下及び左右の少なくとも何れかにずらして重ねて表示すればよい。ここで、サムネイル画像が重ねて表示されていないものは、トリガー記録された動画像のみの動画像ファイルである。したがって、このように表示することにより、使用者は表示された動画像ファイルに事前記録された動画像が含まれているか否かを直ぐに判断することができる。
【００３１】
図５に示すフローチャートに戻り、ステップＳ２２において、ＫＥＹ処理部９４は、使用者によりサムネイル画像の選択を検出したか否かを判定する。その処理は、選択検出手段の一例に対応する。ここで、ＫＥＹ処理部９４が、使用者によりサムネイル画像の選択を検出した場合、ステップＳ２３に処理を進める。選択を検出しない場合、ステップＳ２４に処理を進める。
【００３２】
ステップＳ２３において、サムネイル画像表示処理部７１は、選択されたサムネイル画像を、選択されていないサムネイル画像の前面に表示する。ここで、具体的に、図７を参照して、サムネイル画像の選択により表示装置８０の表示の遷移例について説明する。まず、図７（ａ）に示すように、最初、選択枠１００が事前記録用のサムネイル画像４２を囲んで表示しているものとする。ＫＥＹ処理部９４は、使用者による上下左右方向指示部９３のうち、例えば左右方向の上下左右方向指示部９３を押下する操作により、トリガー記録用のサムネイル画像４１の選択を検出する。すると、サムネイル画像表示処理部７１は、図７（ｂ）に示すように、選択枠１００をトリガー記録用のサムネイル画像４１に移動する。更に、サムネイル画像表示処理部７１は、選択されたトリガー記録用のサムネイル画像４１を事前記録用のサムネイル画像４２の前面に少しずらして重ねて表示する。
【００３３】
また、逆に、図７（ｂ）に示すように、選択枠１００がトリガー記録用のサムネイル画像４１を囲んで表示している状態から、ＫＥＹ処理部９４が、使用者により事前記録用のサムネイル画像４２の選択を検出したとする。この場合、サムネイル画像表示処理部７１は、図７（ａ）に示すように、選択枠１００を事前記録用のサムネイル画像４２に移動し、事前記録用のサムネイル画像４２をトリガー記録用のサムネイル画像４１の前面に少しずらして重ねて表示する。このサムネイル画像を前後に入れ替える切り替え表示は、次のステップＳ２４で選択の決定が検出されるまで繰り返される。
【００３４】
ステップＳ２４において、ＫＥＹ処理部９４は、使用者によりサムネイル画像の選択の決定を検出したか否かを判定する。ＫＥＹ処理部９４が、使用者による上下左右方向指示部９３の操作により、選択の決定を検出した場合、ステップＳ２５に処理を進める。一方、選択の決定を検出しない場合、ステップＳ２２に処理を戻す。
【００３５】
ステップＳ２５において、マイクロプロセッサ１０は、選択されたサムネイル画像からの再生を開始する。ここで、具体的に、図８及び図９を参照して、サムネイル画像の選択の決定により、再生される動画像について説明する。
まず、図８（ａ）に示すように、事前記録用のサムネイル画像４２が選択された状態で、決定を検出した場合、マイクロプロセッサ１０は、事前記録した動画像から再生を行う。すなわち、図８（ｂ）に示すように、事前記録した動画像の最初のフレームＢから再生し、連続してトリガー記録した動画像を再生する。
一方、図９（ａ）に示すように、トリガー記録用のサムネイル画像４１が選択された状態で、決定を検出した場合、マイクロプロセッサ１０は、トリガー記録した動画像から再生を行う。すなわち、図９（ｂ）に示すように、トリガー記録した動画像の最初のフレームＡから再生し、事前記録した動画像は再生しない。
【００３６】
このように、本実施形態によれば、使用者は表示装置に表示された事前記録用のサムネイル画像があるか否かを確認することで、動画像ファイルに事前記録された動画像が含まれているか否かを容易に判断することができる。
なお、事前記録モードが設定されてから、トリガー記録が開始されるまでの時間が、所定時間以下の場合（例えば、２秒間）は、トリガー記録用のサムネイル画像のみを表示装置８０に表示するようにしてもよい。
【００３７】
（第２の実施形態）
次に、第２の実施形態に係る事前記録用のサムネイル画像とトリガー記録用のサムネイル画像とを表示する表示方法について図１０を参照して、説明する。なお、撮像記録再生装置１の構成、記録モードの動作処理及び再生モードの動作処理は、第１の実施形態と略同一であり、その説明は省略する。
【００３８】
撮像記録再生装置１において、再生モードが設定されると、サムネイル画像表示処理部７１は、図１０（ａ）に示すように、画像ファイルごとにサムネイル画像の一覧を表示する。ここで、サムネイル画像表示処理部７１は、サムネイル画像の一覧のうち、事前記録の動画像を含む動画像ファイル１０１については、事前記録用のサムネイル画像４２とトリガー記録用のサムネイル画像４１とを少しずらして重ねて表示している。
【００３９】
本実施形態では、サムネイル画像表示処理部７１は、所定時間ごと（例えば、３秒ごと）に、図１０（ｂ）に示すように事前記録用のサムネイル画像４２とトリガー記録用のサムネイル画像４１との前後を入れ替えて表示する。すなわち、サムネイル画像表示処理部７１は、所定時間ごとに、図１０（ａ）と図１０（ｂ）との表示を繰り返し、表示する。
このように、本実施形態によれば、使用者がサムネイル画像を選択しなくてもトリガー記録のサムネイル画像と事前記録のサムネイル画像とを交互に確認することが可能となる。
【００４０】
（第３の実施形態）
次に、第３の実施形態に係る事前記録用のサムネイル画像とトリガー記録用のサムネイル画像とを表示する表示方法について図１１を参照して、説明する。なお、撮像記録再生装置１の構成、記録モードの動作処理及び再生モードの動作処理は、第１の実施形態と略同一であり、その説明は省略する。
【００４１】
撮像記録再生装置１において、再生モードが設定されると、サムネイル画像表示処理部７１は、画像ファイルごとにサムネイル画像の一覧を表示する。なお、ここでは、１つの動画像ファイル１１１のみを取り上げて説明する。サムネイル画像表示処理部７１は、動画像ファイル１１１について、図１１（ａ）に示すように、事前記録用のサムネイル画像４２とトリガー記録用のサムネイル画像４１とを少しずらして重ねて表示している。また、図１１（ａ）では、サムネイル画像表示処理部７１は、事前記録用のサムネイル画像を囲むように選択枠１００を表示している。
【００４２】
本実施形態では、サムネイル画像表示処理部７１は、図１１（ａ）に示すように、選択されている事前記録用のサムネイル画像４２を通常通り表示する。また、選択されていないトリガー記録用のサムネイル画像４１を所定時間ごと（例えば、３秒ごと）に、図１１（ｂ）に示すように、表示しないようにする。すなわち、サムネイル画像表示処理部７１は、選択されていないサムネイル画像を所定時間間隔で点滅させて表示する。なお、使用者によりサムネイル画像の選択が変更されたときは、新たに選択されたサムネイル画像を通常通り表示し、選択されていないサムネイル画像を点滅させて表示する。
このように、本実施形態によれば、使用者は表示装置に点滅されたサムネイル画像があるか否かを確認することで、動画像ファイルに事前記録された動画像が含まれているか否かを容易に判断することができる。
【００４３】
（第４の実施形態）
次に、第４の実施形態に係る事前記録用のサムネイル画像とトリガー記録用のサムネイル画像とを表示する表示方法について図１２を参照して、説明する。なお、撮像記録再生装置１の構成、記録モードの動作処理及び再生モードの動作処理は、第１の実施形態と略同一であり、その説明は省略する。
【００４４】
撮像記録再生装置１において、再生モードが設定されると、サムネイル画像表示処理部７１は、画像ファイルごとにサムネイル画像の一覧を表示する。なお、ここでは、１つの動画像ファイル１２１のみを取り上げて説明する。サムネイル画像表示処理部７１は、動画像ファイル１２１について、図１２に示すように、事前記録用のサムネイル画像４２とトリガー記録用のサムネイル画像４１とを少しずらして重ねて表示している。また、図１２では、サムネイル画像表示処理部７１は、事前記録用のサムネイル画像を囲むように選択枠１００を表示している。
【００４５】
本実施形態では、サムネイル画像表示処理部７１は、図１２に示すように、選択されている事前記録用のサムネイル画像４２の画像枠を通常通り四角で表示する。また、選択されていないトリガー記録用のサムネイル画像４１の画像枠を、事前記録用のサムネイル画像４２の画像枠の形状と異なる、例えば図１２に示すように角部に曲線状の面取りをしたり、楕楕円形状にしたりして表示する。すなわち、サムネイル画像表示処理部７１は、選択されているサムネイル画像の画像枠の形状と選択されていないサムネイル画像の画像枠の形状とを異なる形状で表示する。なお、使用者によるサムネイル画像の選択が変更されたときは、新たに選択されたサムネイル画像の画像枠を通常通り四角で表示し、選択されていないサムネイル画像の画像枠を異なる形状にして表示する。
このように、本実施形態によれば、使用者は表示装置に異なる形状の画像枠のサムネイル画像があるか否かを確認することで、動画像ファイルに事前記録された動画像が含まれているか否かを容易に判断することができる。
【００４６】
なお、本発明は、上述した第１から第４の実施形態に限られない。例えば、サムネイル画像表示処理部７１は、ずらして重ねて表示している事前記録用のサムネイル画像及びトリガー記録用のサムネイル画像のうち、選択されているサムネイル画像と選択されていないサムネイル画像とで異なる画像処理を施して表示してもよい。ここで、画像処理としては、例えば、選択されていないサムネイル画像を白黒表示したり、低解像度にして表示したりすることをいう。
【００４７】
また、上述した第１から第４の実施形態では、トリガー記録用のサムネイル画像及び事前記録用のサムネイル画像として、それぞれの動画像の先頭フレームを取り出す場合について説明したが、この場合に限られない。例えば、任意のフレーム（例えば、１０フレーム目）から静止画像を取り出してサムネイル画像を生成してもよい。
また、上述した第１から第４の実施形態では、表示装置８０には、トリガー記録用のサムネイル画像及び事前記録用のサムネイル画像を表示する場合についてのみ説明したが、この場合に限らない。例えば、トリガー記録に関する画像及び事前記録に関する画像であってもよい。すなわち、例えば、それぞれいくつかのフレームを抜き出し、抜き出したフレームを連続的に表示してもよい。
以上、本発明の好ましい実施形態について説明したが、本発明はこれらの実施形態に限定されず、その要旨の範囲内で種々の変形及び変更が可能である。
【００４８】
上述した本発明の実施形態における撮像記録再生装置を構成する各手段、並びにその制御方法の各ステップは、マイクロプロセッサのＲＡＭやＲＯＭ等に記憶されたプログラムが動作することによって実現できる。このプログラム及びプログラムを記録したコンピュータ読み取り可能な記録媒体は本発明に含まれる。
【００４９】
また、本発明は、例えば、システム、装置、方法、プログラムもしくは記録媒体等としての実施形態も可能であり、具体的には、複数の機器からなるシステムに適用してもよい。
【００５０】
なお、本発明は、上述した実施形態の機能を実現するソフトウェアのプログラムを、システム又は装置に直接、又は遠隔から供給してもよい。そして、そのシステム又は装置のコンピュータが前記供給されたプログラムコードを読み出して実行することによっても達成される場合を含む。
【００５１】
従って、本発明の機能処理をコンピュータで実現するために、コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【図面の簡単な説明】
【００５２】
【図１】撮像記録再生装置のブロック図である。
【図２】動画像ファイルからサムネイル画像として静止画を取り出す位置を説明するための図である。
【図３】通常記録モードで記録された動画像ファイルのサムネイル画像の表示の一例を示す図である。
【図４】事前記録モードで記録するときの動作処理を示すフローチャートである。
【図５】再生モードでサムネイル画像を表示するときの動作処理を示すフローチャートである。
【図６】事前記録モードで記録された動画像ファイルのサムネイル画像の表示の一例を示す図である。
【図７】第１の実施形態に係る選択されるサムネイル画像の表示の遷移の一例を示す図である。
【図８】サムネイル画像の選択の決定により再生される動画像について説明するための図である。
【図９】サムネイル画像の選択の決定により再生される動画像について説明するための図である。
【図１０】第２の実施形態に係るサムネイル画像の表示の一例を示す図である。
【図１１】第３の実施形態に係るサムネイル画像の表示の一例を示す図である。
【図１２】第４の実施形態に係るサムネイル画像の表示の一例を示す図である。
【符号の説明】
【００５３】
１    撮像記録再生装置
１０  マイクロプロセッサ
１１  プログラム用メモリ
１２  画像保存用メモリ
２０  レンズ
３０  映像センサー
４０  画像処理・制御回路
５０  データ圧縮・伸長回路
６０  記録媒体制御部
６１  記録媒体
７０  サムネイル画像生成部
７１  サムネイル画像表示処理部
８０  表示装置
９０  動作モード切替スイッチ
９１  トリガースイッチ
９２  事前記録設定スイッチ
９３  上下左右方向指示部
９４  ＫＥＹ処理部
【図１】
2010141823.tif 000003
【図２】
2010141823.tif 000004
【図３】
2010141823.tif 000005
【図４】
2010141823.tif 000006
【図５】
2010141823.tif 000007
【図６】
2010141823.tif 000008
【図７】
2010141823.tif 000009
【図８】
2010141823.tif 000010
【図９】
2010141823.tif 000011
【図１０】
2010141823.tif 000012
【図１１】
2010141823.tif 000013
【図１２】
2010141823.tif 000014